(57)【特許請求の範囲】
【請求項１】
引渡方向に長さの異なる複数種類の媒体からなる媒体束を、前記媒体束の前記引渡方向後端側の端面が揃うよう傾斜したステージに集積させる集積部と、
前記集積部から前記引渡方向後端側の端面が揃った状態の前記媒体束を受け取り、水平方向に沿う前記引渡方向へ前記媒体束を搬送する搬送部と、
前記搬送部により搬送された前記媒体束を利用者に引き渡す引渡口部と、
互いの接触部で前記媒体束を挟持することにより、前記引渡口部から前記媒体束が外部に露出した状態で保持する保持部と、
前記引渡口部内に設けられ、前記媒体の位置を検出するセンサと、
前記媒体束における前記接触部よりも前記引渡方向後側の長さを揃えた状態で前記引渡口部から前記媒体束を利用者に引き渡す制御部と
を有し、
前記制御部は、前記センサから前記引渡方向へ向かって前記媒体束を搬送させる搬送距離である飛出長さを、前記媒体束を構成する前記媒体のうちの前記引渡方向の最大の長さである短手最大長さと、前記接触部から前記センサまでの距離であるセンサ接触部間長さと、前記接触部から前記引渡方向の後側に前記媒体束を残す量である接触部内側長さとに基づいて求める
媒体処理装置。
【請求項２】
前記制御部は、前記飛出長さを、前記短手最大長さから、前記センサ接触部間長さと、前記接触部内側長さとを減算して求める
請求項１に記載の媒体処理装置。
【請求項３】
前記制御部は、前記センサにより前記媒体束の前記引渡方向の先端を検出してから、前記媒体束を前記飛出長さだけ前記引渡方向へ移動させて、停止させる
請求項２に記載の媒体処理装置。
【請求項４】
前記制御部は、前記媒体束を構成する前記媒体のうち、前記引渡方向の長さが長い媒体を該媒体束の下側に、前記引渡方向の長さが短い媒体を該媒体束の上側にした状態で、該媒体束を利用者に引き渡す
請求項１に記載の媒体処理装置。
【請求項５】
前記制御部は、前記媒体束を構成する前記媒体のうち、前記引渡方向の長さが短い媒体ほど該媒体束の上側に集積した状態で利用者に引き渡す
請求項４に記載の媒体処理装置。
【請求項６】
前記媒体束の前記引渡方向後端側と接触しながら前記引渡方向へ移動し、該媒体束を前記引渡口部へ向かって前記引渡方向へ搬送する押出機構
をさらに有する請求項１に記載の媒体処理装置。
【請求項７】
前記引渡方向は、前記媒体の短手方向である
請求項１に記載の媒体処理装置。
【請求項８】
引渡方向に長さの異なる複数種類の媒体が重ねられた媒体束を利用者に引き渡す引渡口部と、
互いの接触部で前記媒体束を挟持することにより、前記引渡口部から前記媒体束が外部に露出した状態で保持する保持部と、
前記引渡口部内に設けられ、前記媒体の位置を検出するセンサと、
前記媒体束における前記接触部よりも前記引渡方向後側の長さを揃えた状態で前記引渡口部から前記媒体束を利用者に引き渡す制御部と
を有し、
前記制御部は、前記センサから前記引渡方向へ向かって前記媒体束を搬送させる搬送距離である飛出長さを、前記媒体束を構成する前記媒体のうちの前記引渡方向の最大の長さである短手最大長さから、前記接触部から前記センサまでの距離であるセンサ接触部間長さと、前記接触部から前記引渡方向の後側に前記媒体束を残す量である接触部内側長さとを減算して求める
媒体処理装置。
【発明の詳細な説明】
【技術分野】
【０００１】
本発明は媒体処理装置に関し、例えば媒体としての紙幣を出金する紙幣出金機に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金する。そのような現金自動取引装置においては、ステージに載置された紙幣束を背押し板で出金口へ移動させ、紙幣の短手方向を引渡方向に沿わせて該紙幣束を外部へ出金するものがある（例えば、特許文献１参照）。そのような現金自動取引装置においては、出金口から紙幣束が飛び出す飛び出し量を、複数サイズの紙幣において一定にした状態で保持部で保持することにより、複数サイズの紙幣が積み重ねられた紙幣束における先端側の端面を揃えた状態で出金口から利用者に引き渡すものがあった。
【先行技術文献】
【特許文献】
【０００３】
【特許文献１】特許第５１５６０９７号公報
【発明の概要】
【発明が解決しようとする課題】
【０００４】
しかしながらそのような現金自動取引装置においては、該現金自動取引装置において取り扱われる紙幣のうち、例えば短手方向の長さが最も短い最小紙幣に飛び出し量を合わせると、現金自動取引装置内における保持部よりも内部に多く紙幣が残ってしまう。このとき、顧客が保持部の抵抗に逆らって紙幣を引き出す距離が長くなるため、短手方向の長さが長い紙幣を抜き取りにくかった。一方短手方向の長さが最も長い最大紙幣に飛び出し量を合わせると、現金自動取引装置外に多く紙幣を送ってしまい、短手方向の長さが短い紙幣が該現金自動取引装置外に落下してしまう可能性があった。また、現金自動取引装置では、出金した紙幣を顧客が取り忘れた場合には装置内部に取り込んで保管する取忘れ取込動作を行うものもあるが、紙幣が現金自動取引装置外に落下してしまうと、現金自動取引装置内部に取り込むことができなくなってしまう。
【０００５】
本発明は以上の点を考慮してなされたもので、信頼性を向上し得る媒体処理装置を提案しようとするものである。
【課題を解決するための手段】
【０００６】
かかる課題を解決するため本発明の媒体処理装置においては、引渡方向に長さの異なる複数種類の媒体からなる媒体束を、媒体束の引渡方向後端側の端面が揃うよう傾斜したステージに集積させる集積部と、集積部から引渡方向後端側の端面が揃った状態の媒体束を受け取り、水平方向に沿う引渡方向へ媒体束を搬送する搬送部と、搬送部により搬送された媒体束を利用者に引き渡す引渡口部と、互いの接触部で媒体束を挟持することにより、引渡口部から媒体束が外部に露出した状態で保持する保持部と、引渡口部内に設けられ、媒体の位置を検出するセンサと、媒体束における接触部よりも引渡方向後側の長さを揃えた状態で引渡口部から媒体束を利用者に引き渡す制御部とを設け、制御部は、センサから引渡方向へ向かって媒体束を搬送させる搬送距離である飛出長さを、媒体束を構成する媒体のうちの引渡方向の最大の長さである短手最大長さと、接触部からセンサまでの距離であるセンサ接触部間長さと、接触部から引渡方向の後側に媒体束を残す量である接触部内側長さとに基づいて求めるようにした。
【０００７】
本発明は、引渡方向の長さが長い紙幣が保持部よりも奥側に多く残ることで、顧客が紙幣を抜き取りにくくなってしまうことを防止しつつ、引渡方向の長さが短い紙幣が保持部よりも手前側に多く飛び出し、媒体処理装置の外部に紙幣が落下してしまうことを防止できる。
【発明の効果】
【０００８】
本発明によれば、信頼性を向上し得る媒体処理装置を実現できる。
【図面の簡単な説明】
【０００９】
【図１】紙幣出金機の構成を示す右側面図である。
【図２】束搬送ユニット及び集積部の構成を示す右側面図である。
【図３】引渡口部における紙幣束の様子を示す右側面図である。
【図４】出金処理手順を示すフローチャートである。
【発明を実施するための形態】
【００１０】
以下、発明を実施するための形態（以下実施の形態とする）について、図面を用いて説明する。
【００１１】
［１．実施の形態］
［１−１．紙幣出金機の構成］
図１に示すように、紙幣出金機１は、箱状の筐体２を中心に構成されており、例えば金融機関等に設置され、利用者（すなわち金融機関の顧客）の操作に応じて紙幣を出金する。筐体２は、顧客へ出金する紙幣が排出される部分である出金口４がその前側に設けられている。
【００１２】
筐体２内には、紙幣出金機１全体を統轄制御する制御部６や、紙幣に関する種々の処理を行う出金ユニット８等が設けられている。制御部６は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部から所定のプログラムを読み出して実行することにより、各部を制御して出金取引等の種々の処理を行う。記憶部は、紙幣出金機１において取り扱われる全ての紙幣の短手方向の長さである短手長さを記憶している。以下では、紙幣出金機１のうち利用者が対峙する側を前側とし、その反対を後側とし、該前側に対峙した利用者から見て左及び右をそれぞれ左側及び右側とし、さらに上側及び下側を定義して説明する。
【００１３】
［１−２．出金ユニットの内部構成］
出金ユニット８は、直方体状の出金ユニット筐体１０内に、紙幣に関する種々の処理を行う複数の部分が組み込まれており、紙幣を収納すると共に、利用者に引き渡すべき紙幣を集積して紙幣束を生成する。この出金ユニット筐体１０内には、４個の紙幣収納庫１２、搬送部１４、鑑別部１６、集積部１８、リジェクト収納庫２０及び束搬送部２２が設けられている。
【００１４】
紙幣収納庫１２は、上下方向に互いに積み重なるように取り付けられている。各紙幣収納庫１２は、その内部に、紙面を前後方向に向けて前後方向に沿って並んだ状態で、それぞれ複数金種の紙幣を一金種ずつ収納する。
【００１５】
搬送部１４は、図示しないローラやベルト、或いはこれらを駆動するモータ等により、紙幣を搬送する経路である搬送路を構成している。この搬送路は、図中に実線で示すように、各紙幣収納庫１２と集積部１８及びリジェクト収納庫２０とを接続しており、各紙幣収納庫１２から繰り出された紙幣を、短辺に沿う方向を進行方向に沿わせて搬送する。
【００１６】
鑑別部１６は、搬送部１４の搬送路に沿って設けられている。この鑑別部１６は、内部に複数種類のセンサが組み込まれており、各センサから得られた情報を基に、搬送される紙幣の金種や走行状態等を鑑別し、その鑑別結果を制御部６へ供給する。制御部６は、得られた鑑別結果を基に、各紙幣の搬送先を決定する。具体的に制御部６は、出金すべき正常な紙幣の搬送先を集積部１８に、出金すべきで無い紙幣（以下これをリジェクト紙幣と呼ぶ）の搬送先をリジェクト収納庫２０に、それぞれ決定する。
【００１７】
集積部１８は、出金すべき紙幣を内部に積み重ね紙幣束を生成し束搬送部２２へ受け渡す。リジェクト収納庫２０は、搬送部１４から搬送されたリジェクト紙幣や束搬送部２２から搬送された取忘れ紙幣を内部に収納する。
【００１８】
束搬送部２２は、集積部１８から受け取った紙幣束を、短辺に沿う方向を引渡方向である前方向に沿わせて搬送し、出金口４から出金する。
【００１９】
［１−３．集積部及び束搬送部の構成］
図２に示すように集積部１８は、集積庫２４、ステージ２６及び放出部３０を有している。集積庫２４は、断面が略Ｕ字形状の部材で形成されており、紙幣を集積する集積空間２８を形成している。この集積庫２４は、図示しない駆動手段により、図中時計回り及び反時計回りに回動可能に構成されている。集積庫２４内部には、紙幣を集積する平板状のステージ２６が、昇降移動可能に設けられている。ステージ２６は、後ろ下がりに傾斜して設けられており、紙幣の後端を揃えて集積させる。
【００２０】
また集積部１８における後側上寄りには、搬送部１４（図１）から搬送されてきた紙幣を集積空間２８内へ放出する対向するローラである放出部３０が設けられている。このため集積部１８は、放出部３０により集積空間２８内へ放出された紙幣を、ステージ２６上に集積させ、紙幣束Ｗを生成する。また集積部１８は、ステージ２６に紙幣束Ｗを載置した状態で集積庫２４を図中反時計回りに回動させ該ステージ２６を上方へ移動させることにより、紙幣束Ｗを束搬送部２２の受渡部３２まで持ち上げる。
【００２１】
束搬送部２２は、全体として、上下方向に短く前後方向に長い、扁平な直方体状に形成されており、直方体状の束搬送筐体３４内に、主にモータ３６、上ベルト駆動機構３８、下ベルト駆動機構４０、最終プーリ４２及び紙幣検知センサ４４が設けられている。
【００２２】
モータ３６は、図示しない駆動系により上ベルト駆動機構３８及び下ベルト駆動機構４０にそれぞれ連結しており、該モータ３６が回転駆動することにより上ベルト駆動機構３８及び下ベルト駆動機構４０を動作させる。
【００２３】
上ベルト駆動機構３８は、上ベルト４６、上ベルト駆動プーリ４８及び複数の上ベルト従動プーリ５０により構成されている。上ベルト４６は、上ベルト駆動プーリ４８及び上ベルト従動プーリ５０の周囲に束搬送筐体３４内の前端部から後端部までに亘って掛け回された無端ベルトであり、この上ベルト駆動プーリ４８及び上ベルト従動プーリ５０が回転することにより、その下面を水平方向に沿った前後方向に沿って走行させる。説明の都合上、以下では、上ベルト４６における下面部分の走行方向を、該上ベルト４６の走行方向と見なす。
【００２４】
下ベルト駆動機構４０は、下ベルト５２、下ベルト駆動プーリ５４及び下ベルト従動プーリ５６により構成されている。下ベルト５２は、上ベルト４６よりも前後方向の長さが短く形成され、下ベルト駆動プーリ５４及び下ベルト従動プーリ５６の周囲に束搬送筐体３４内の前端部から受渡部３２の前側までに亘って掛け回された無端ベルトであり、この下ベルト駆動プーリ５４及び下ベルト従動プーリ５６が回転することにより、その上面を水平方向に沿った前後方向に沿って走行させる。説明の都合上、以下では、下ベルト５２における上面部分の走行方向を、該下ベルト５２の走行方向と見なす。束搬送部２２は、上ベルト４６と下ベルト５２とにより上下方向から挟まれ水平方向に沿う束搬送路を形成する。
【００２５】
保持部としての最終プーリ４２は、上ベルト駆動機構３８において搬送路に上側から対向し出金口４に最も近い位置に配された上ベルト従動プーリ５０と、下ベルト駆動機構４０において搬送路に下側から対向し出金口４に最も近い位置に配された下ベルト従動プーリ５６とにより構成されている。
【００２６】
受渡部３２は、ステージ２６が上方へ移動した際に、該ステージ２６に集積された紙幣束Ｗと上ベルト４６とが接触する位置に設けられた空間であり、該受渡部３２においてステージ２６から束搬送部２２に紙幣束Ｗが受け渡される。
【００２７】
また束搬送部２２内には、背押し板５８が設けられている。背押し板５８は、その一部を上ベルト４６の下面よりも下方に突出させており、図示しない移動機構により、前後方向に沿って、すなわち搬送路に沿って移動する。すなわち背押し板５８は、引渡方向である前方へ移動することにより紙幣束Ｗの束ずれや紙幣残留等を防止しつつ引渡方向に沿って該紙幣束Ｗの後端を押す。束搬送筐体３４の前端には、搬送路内を引渡方向へ搬送されてきた紙幣束Ｗを利用者に引き渡す出金口４が形成されている。
【００２８】
このように紙幣出金機１は、モータ３６の駆動力により上ベルト４６及び下ベルト５２を走行させると共に、出金口４へ水平方向に沿って向かう前方向へ背押し板５８を移動させることにより、該紙幣束Ｗを搬送路に沿ってステージ２６から出金口４へ向けて引渡方向へ搬送する。
【００２９】
束搬送部２２は、図３に示すように上ベルト駆動機構３８における上ベルト従動プーリ５０である上側最終プーリ６０と、下ベルト駆動機構４０における下ベルト従動プーリ５６である下側最終プーリ６２とが接触する箇所である挟持部６４において、出金する紙幣束Ｗを上下から挟持する。このため束搬送部２２は、出金口４の外部へ紙幣束Ｗの前側の一部を露出させた状態で挟持部６４により紙幣を保持することにより、利用者が該紙幣束Ｗの前側を指で摘んで前方へ向かって引き出し該紙幣束Ｗを受け取るまで所定時間だけ待機する。
【００３０】
このとき束搬送部２２は、紙幣束Ｗの後端を上下方向に沿って揃えた状態で、すなわち紙幣束Ｗを構成する全ての紙幣における、挟持部６４よりも後方の距離を一定にした状態で、挟持部６４により紙幣を保持する。
【００３１】
紙幣検知センサ４４は、例えば光学センサであり、最終プーリ４２よりも出金口４側（前側）の近傍に配置され、搬送路に直交するよう発光部から照射された光を受光部で受光したか否かを検出し、検出結果を制御部６（図１）へ送出する。制御部６は、この検出結果に基づいて紙幣束Ｗの有無を判断する。また制御部６は、紙幣検知センサ４４の検出結果に基づき所定時間経過後も紙幣束Ｗが存在することを検出すると、出金した紙幣束Ｗを顧客が取り忘れたものと判断し、該紙幣束Ｗを紙幣出金機１内に取り込みリジェクト収納庫２０へ収納する取忘れ取込動作を行う。
【００３２】
［１−４．出金処理方法］
次に、紙幣出金機１による出金処理の具体的な処理手順について、図４のフローチャートを用いて説明する。顧客の操作により出金の指示がされると、制御部６は記憶部から出金処理プログラムを読み出して実行することにより出金処理手順ＲＴ１を開始し、ステップＳＰ１へ移る。ステップＳＰ１において制御部６は、顧客が指定した出金額によりどの金種をどの紙幣収納庫１２から繰り出すかを決定し、ステップＳＰ２へ移る。
【００３３】
ステップＳＰ２において制御部６は、短手長さが最も長い金種の紙幣である最大紙幣が最も下側になり、そこから短手長さが短い金種の紙幣が順次上側に集積され、短手長さが最も短い金種の紙幣である最小紙幣が最も上側になるように、各紙幣収納庫１２から繰り出す順番を決定し、ステップＳＰ３へ移る。
【００３４】
ステップＳＰ３において制御部６は、ステップＳＰ２で決定した紙幣を繰り出す順番に従い、各紙幣収納庫１２から短手長さが長い紙幣から順番に紙幣を１枚ずつ繰り出して集積部１８のステージ２６に集積し、ステップＳＰ４へ移る。ここで、ステージ２６に集積された出金すべき紙幣束Ｗは、後端が揃った積層状態となっている。またステージ２６には、紙幣束Ｗが下側から上側へ向かって紙幣サイズ順に並んだ積層状態となっている。ステップＳＰ４において制御部６は、集積部１８から束搬送部２２へ紙幣束Ｗを受け渡し、ステップＳＰ５へ移る。
【００３５】
ステップＳＰ５において制御部６は、束搬送部２２においてモータ３６を駆動させ紙幣束Ｗを出金口４へ向けて引渡方向へ搬送し、紙幣束Ｗの引渡方向先端側を紙幣検知センサ４４で検出するまで紙幣束Ｗを搬送し、ステップＳＰ６へ移る。
【００３６】
ステップＳＰ６において制御部６は、紙幣束Ｗのうち最大紙幣の短手長さの情報を使用することにより、最終プーリ４２（すなわち挟持部６４）から紙幣束Ｗの長さを紙幣出金機１内部に一定量残すための、紙幣検知センサ４４の位置から引渡方向への搬送距離である飛出長さを算出し、ステップＳＰ７へ移る。
【００３７】
具体的に、図３に示すように、紙幣検知センサ４４から引渡方向へ向かって紙幣束Ｗが搬送される搬送距離を飛出長さＬ０とし、最終プーリ４２の挟持部６４から紙幣検知センサ４４までの距離をセンサ挟持部間長さＬ１とし、紙幣束Ｗを構成する紙幣の短手長さの最大サイズを短手最大長さＬ２とし、最終プーリ４２の挟持部６４から紙幣出金機１内部に紙幣束Ｗが残される量を挟持部内側長さＬ３と規定する。ここで、挟持部内側長さＬ３は、例えば１０ｍｍに設定されている。制御部６は、飛出長さＬ０を、短手最大長さＬ２−挟持部内側長さＬ３−センサ挟持部間長さＬ１により求める。このとき制御部６は、本実施の形態のように、センサ挟持部間長さＬ１を、挟持部６４よりも紙幣検知センサ４４の方が出金口４に近接する側に位置している場合はプラスの値として扱い、一方、挟持部６４よりも紙幣検知センサ４４の方が出金口４よりも離隔する側に位置している場合はマイナスの値として扱う。
【００３８】
ステップＳＰ７において制御部６は、紙幣束Ｗを、引渡方向先端側が紙幣検知センサ４４に検出された位置から、飛出長さＬ０だけ引渡方向へ搬送することにより、挟持部６４から紙幣束Ｗの長さを紙幣出金機１内部に挟持部内側長さＬ３だけ残した状態でモータ３６を停止させ、顧客に紙幣束Ｗを受け渡して出金動作を完了し、ステップＳＰ８へ移り、出金処理手順ＲＴ１を終了する。
【００３９】
［１−５．効果等］
以上の構成において紙幣出金機１は、引渡方向に異なる長さの複数種類の紙幣が重ねられた紙幣束Ｗを利用者に引き渡す際に、全ての紙幣における挟持部６４よりも紙幣出金機１の奥側（すなわち引渡方向後側）の長さを一定にすることにより、紙幣束Ｗにおける引渡方向後端側の端面を揃えた状態で出金口４から紙幣束Ｗを利用者に引き渡すようにした。このように紙幣出金機１は、紙幣束Ｗの全ての紙幣における挟持部６４よりも奥側の距離を一定にするため、搬送方向の長さが長い紙幣が挟持部６４よりも奥側に多く残って該紙幣を顧客が抜き取りにくくなってしまうことを防止しつつ、搬送方向の長さが短い紙幣が挟持部６４よりも手前側に多く飛び出し該紙幣が紙幣出金機１の外部に落下してしまうことを防止できる。これは、例えばユーロ紙幣のように短手長さが６２〜８２ｍｍと幅広い範囲の紙幣を取り扱う紙幣出金機の場合、本発明の効果を顕著に奏する。また紙幣出金機１は、全ての紙幣を挟持部６４から紙幣出金機１の奥側に一定量残すことにより、取り忘れが発生した際に紙幣束Ｗを適切に紙幣出金機１内部へ取り込むことができる。
【００４０】
また紙幣出金機１は、紙幣束Ｗの下側から上側に向かって、紙幣の短手長さが長い順番に、すなわち紙幣のサイズの大きい順に下から紙幣を集積した状態で、紙幣束Ｗを出金するようにした。このため紙幣出金機１は、短手長さが短い紙幣が長い紙幣に隠れてしまうことを防止し、短手長さが短い紙幣を顧客に視認させやすくでき、見落とさせにくくできる。また紙幣出金機１は、受渡方向の後端が揃った状態の紙幣束Ｗにおいて、少なくとも最も上側に載置された紙幣を摘める程度に紙幣束Ｗを摘めば、紙幣束Ｗにおける全ての紙幣を顧客に摘ませることができるため、どの程度の奥方向まで紙幣束Ｗを摘めば良いかを顧客に視認させやすくできる。
【００４１】
ここで、紙幣束Ｗの前端を揃えた状態で出金する紙幣出金機の場合、引渡方向に長さの異なる複数種類の紙幣により紙幣束Ｗが構成されていても、短手長さが短い紙幣が長い紙幣に隠れてしまうことは発生せず、且つどの程度の奥方向まで紙幣束Ｗを摘めば良いかは顧客は視認しやすい。これに対し紙幣出金機１のように、紙幣束Ｗの後端を揃えて出金する場合、引渡方向に長さの異なる複数種類の紙幣により紙幣束Ｗが構成されていると、紙幣束Ｗの前端は揃っていないため、短手長さが短い紙幣が長い紙幣に隠れてしまう可能性がある。このため紙幣束Ｗの下側から上側に向かって、紙幣の短手長さが長い順番に下から紙幣を集積した状態で出金することは、本実施の形態のように、紙幣束Ｗの後端を揃えて出金する場合に特に有用である。
【００４２】
以上の構成によれば紙幣出金機１は、引渡方向に長さの異なる複数種類の媒体としての紙幣が重ねられた紙幣束Ｗを利用者に引き渡す出金口４と、紙幣束Ｗにおける引渡方向後端側の端面を揃えた状態で出金口４から紙幣束Ｗを利用者に引き渡す制御部６を設けるようにした。
【００４３】
これにより紙幣出金機１は、引渡方向の長さが長い紙幣が挟持部６４よりも奥側に多く残ることで、顧客が紙幣を抜き取りにくくなってしまうことを防止しつつ、引渡方向の長さが短い紙幣が挟持部６４よりも手前側に多く飛び出し、紙幣出金機１の外部に紙幣が落下してしまうことを防止できる。
【００４４】
［２．他の実施の形態］
なお上述した実施の形態においては、紙幣の短手長さが長い順に下から紙幣を集積した状態で紙幣束Ｗを出金する場合について述べた。本発明はこれに限らず、紙幣の短手長さに関わらない順番で紙幣を集積した状態で紙幣束Ｗを出金しても良い。
【００４５】
また本発明においては、全ての紙幣束Ｗにおいて挟持部内側長さＬ３を一定にする必要はなく、少なくとも所定の一束の紙幣束Ｗにおいて後端を揃えれば良い。
【００４６】
さらに本発明においては、紙幣束Ｗの集積枚数が多いほど挟持部内側長さＬ３を長くしたり、紙幣束Ｗを構成する紙幣のしわ等の状態に応じて挟持部内側長さＬ３を変化させたり、紙幣束Ｗを構成する紙幣が最大紙幣のみの場合と最小紙幣のみの場合とで挟持部内側長さＬ３を変化させたり、紙幣束Ｗを構成する紙幣の摩擦係数に応じて挟持部内側長さＬ３を変化させたりしても良い。
【００４７】
さらに上述した実施の形態においては、上側最終プーリ６０と下側最終プーリ６２とで紙幣束Ｗを挟持することにより紙幣束Ｗを保持する場合について述べた。本発明はこれに限らず、他の種々の機構により紙幣束Ｗを挟持しても良い。
【００４８】
さらに上述した実施の形態においては、紙幣を出金する紙幣出金機１に本発明を適用する場合について述べた。しかしながら本発明はこれに限らず、例えば種々の金券や証券、或いは各種チケットなど、紙葉状の媒体を収納しておき、これを利用者に引き渡す種々の装置に適用しても良い。
【００４９】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【００５０】
さらに上述した実施の形態においては、引渡口部としての出金口４と、制御部としての制御部６とによって、媒体処理装置としての紙幣出金機１を構成する場合について述べた。しかしながら本発明はこれに限らず、その他種々の構成でなる引渡口部と、制御部とによって、媒体処理装置を構成しても良い。
【産業上の利用可能性】
【００５１】
本発明は、例えば着脱可能な紙幣収納庫に紙幣を収納しておき、利用者の操作に応じこの紙幣を出金する紙幣出金機でも利用できる。
【符号の説明】
【００５２】
１……紙幣出金機、２……筐体、４……出金口、６……制御部、８……出金ユニット、１０……出金ユニット筐体、１２……紙幣収納庫、１４……搬送部、１６……鑑別部、１８……集積部、２０……リジェクト収納庫、２２……束搬送部、２４……集積庫、２６……ステージ、２８……集積空間、３０……放出部、３２……受渡部、３４……束搬送筐体、３６……モータ、３８……上ベルト駆動機構、４０……下ベルト駆動機構、４２……最終プーリ、４４……紙幣検知センサ、４６……上ベルト、４８……上ベルト駆動プーリ、５０……上ベルト従動プーリ、５２……下ベルト、５４……下ベルト駆動プーリ、５６……下ベルト従動プーリ、５８……背押し板、６０……上側最終プーリ、６２……下側最終プーリ、６４……挟持部、Ｌ０……飛出長さ、Ｌ１……センサ挟持部間長さ、Ｌ２……短手最大長さ、Ｌ３……挟持部内側長さ、Ｗ……紙幣束。
【図１】
0006728762.tif 000002
【図２】
0006728762.tif 000003
【図３】
0006728762.tif 000004
【図４】
0006728762.tif 000005